(57)【特許請求の範囲】
【請求項１】
通信時に発生する波長成分を含む光を生成する生成手段と、
前記生成手段によって生成された光から異なる複数の波長成分を抽出する抽出手段と、
前記抽出手段によって抽出された複数の波長成分の光に重畳された同一のパルス信号を同時に送信する送信手段と、
前記送信手段によって送信された各パルス信号が伝送路を介して相手先に到着したときの遅延時間差を取得する取得手段と、
前記取得手段によって取得された遅延時間差と、所定の基準波長成分の測定用信号が前記伝送路を介した同じ区間を伝送する際の遅延時間である基準時間とで求まる、前記伝送路の種別毎に異なる特性値であって前記伝送路の長さに依存しない特性値を算出する算出手段と、
前記算出手段によって算出された特性値に基づいて前記伝送路の種別を特定する特定手段と、
を備えることを特徴とする伝送路種別特定装置。
【請求項２】
前記送信手段は、
前記複数の波長成分と異なる波長を使用した測定用信号を送信する測定用信号送信手段を含み、
前記算出手段は、
前記測定用信号送信手段によって送信された測定用信号が前記相手先を経由して前記伝送路の往復に要する基準時間を測定する基準時間測定手段を含み、
前記取得手段によって取得された遅延時間差を前記基準時間測定手段によって測定された基準時間で除算して前記特性値を算出することを特徴とする請求項１に記載の伝送路種別特定装置。
【請求項３】
前記生成手段によって生成された光の経路を前記抽出手段側または前記伝送路に伝送する側に切り替える切替手段をさらに有し、
前記抽出手段は、
システムが運用される前の起動の際に、前記切替手段によって前記抽出手段側に切り替えられた経路を介して伝送された光から、異なる複数の波長成分を抽出する
ことを特徴とする請求項１または請求項２に記載の伝送路種別特定装置。
【請求項４】
前記送信手段は、
前記抽出手段によって抽出された複数の波長成分の光に、形状が矩形となるようにパルス信号を重畳する変調手段を含み、
前記変調手段によって変調されたパルス信号を同時に送信することを特徴とする請求項１から請求項３のいずれか１つに記載の伝送路種別特定装置。
【請求項５】
前記特定手段によって特定された伝送路の種別から光信号の出力パワーを補正する出力補正手段をさらに備えることを特徴とする請求項１から請求項４のいずれか１つに記載の伝送路種別特定装置。
【請求項６】
通信時に発生する波長成分を含む光を生成する生成工程と、
前記生成工程によって生成された光から異なる複数の波長成分を抽出する抽出工程と、
前記抽出工程によって抽出された複数の波長成分の光に重畳された同一のパルス信号を同時に送信する送信工程と、
前記送信工程によって送信された各パルス信号が伝送路を介して相手先に到着したときの遅延時間差を取得する取得工程と、
前記取得工程によって取得された遅延時間差と、所定の基準波長成分の測定用信号が前記伝送路を介した同じ区間を伝送する際の遅延時間である基準時間とで求まる、前記伝送路の種別毎に異なる特性値であって前記伝送路の長さに依存しない特性値を算出する算出工程と、
前記算出工程によって算出された特性値に基づいて前記伝送路の種別を特定する特定工程と、
を備えることを特徴とする伝送路種別特定方法。
【発明の詳細な説明】
【技術分野】
【０００１】
本発明は、伝送路種別特定装置および伝送路種別特定方法に関し、特に、波長分割多重（ＷＤＭ）された光信号を伝送する伝送路の種別を特定する伝送路種別特定装置および伝送路種別特定方法に関するものである。
【背景技術】
【０００２】
近年、波長が異なる複数の光信号を波長分割多重（ＷＤＭ：Wavelength Division Multiplexing）し、光ファイバ内を伝送する通信技術が注目されている。このＷＤＭを用いた伝送では、光ファイバに出力される光パルスは、光出力パワーが増大すると、非線形効果によって干渉が発生し伝送波形が歪んだりするため、光ファイバに出力することができる最大の光出力パワーが制限される。この最大の光出力値は、光ファイバの種別によって異なる。したがって、光ファイバの種別を特定することが、ＷＤＭを用いた伝送において極めて重要な要素となっている。
【０００３】
ところで、ＷＤＭを用いた伝送では、光伝送システムの送信装置が、光信号の増幅用の励起光を光アンプに供給して生成されたＡＳＥ光を光ファイバに出力し、光伝送システムの受信装置が、出力されたＡＳＥ光から異なる複数の波長を抽出して、複数の波長の伝播遅延時間差を示す分散量を算出し、伝播遅延時間差が０となるように波長分散補償量を制御する技術が開示されている（特許文献１）。
【０００４】
そして、この分散量を用いて、光ファイバの種別が、特定されることが知られている。以下、図２７および図２８を用いて、従来の光ファイバの種別の特定方法について説明する。図２７は、従来の光ファイバの種別の特定方法を示す図である。図２７に示す光ファイバの種別の特定方法においては、ＯＴＤＲ（Optical Time Domain Reflectometer）が光ファイバに搭載され、ＯＴＤＲが、異なる２種類の波長（λ１、λ２）の光に重畳されたパルスを光ファイバに出力し、送信パルスに対する反射パルスによって光ファイバの単位長さ当たりの分散量（ｐｓ／ｎｍ／ｋｍ）を測定する。具体的には、波長光源である２つのレーザダイオードは、増幅用の異なる２種類の波長の励起光にパルス変調部によって重畳されたパルスをそれぞれ発光させる。そして、２種類のパルスは、光カプラ（ＣＰＬ）および光ＣＩＲ（Consumer Infrared）を通り、図２７の右上段に示すように光ファイバに出力される。光ファイバ内部では、送信パルスに対する反射パルスが、送信パルスの一部が進行方向とは逆向きに散乱するため減衰した波形で、図２７の右下段に示すようにＯＴＤＲに戻る。ＯＴＤＲでは、反射パルスが、光ＣＩＲを通り、波長フィルタで分波され、受信素子である２つのフォトダイオードによって光パルスから電気信号に変換され、レベルサンプリングに出力される。レベルサンプリングは、送信パルスを光ファイバに送信してから戻ってくるまでの遅延時間（Ｔ）、遅延時間に対応する減衰量（Ｘ）および損失係数（α）を測定する。そして、レベルサンプリングは、減衰量（Ｘ）および損失係数（α）から右下段算出式を用いて光ファイバの長さ（Ｌ）を算出し、算出された光ファイバの長さと遅延時間（Ｔ）とから光ファイバの単位長さ当たりの分散量（Ｄ）を算出する。
【０００５】
ここで、各種光ファイバの分散特性を、図２８を用いて説明する。図２８は、ＷＤＭの波長帯域であるＣ−ＢＡＮＤ（conventional band）およびＬ−ＢＡＮＤ（long band）に属する複数の波長に対応する光ファイバの種別ごとの光ファイバの単位長さ当たりの分散量（ｐｓ／ｎｍ／ｋｍ）と、傾きと、光ファイバに出力することができる最大の出力パワーと、を示している。図２８において、傾きとは、光ファイバの単位長さ当たりの分散量の増加分を波長の増加分で割った値である。そして、光ファイバの単位長さ当たりの分散量と波長との間の関係は、光ファイバの種別ごとの傾きから求められる光ファイバの種別特有の直線近似となっている。したがって、光ファイバの単位長さ当たりの分散量（Ｄ）およびλ１とλ２との平均波長がわかれば、光ファイバの種別特有の直線近似によって、光ファイバが特定され、さらに光ファイバに出力することができる最大の光出力パワーが特定される。
【０００６】
【特許文献１】特開２００５−２８６９０６号公報
【発明の開示】
【発明が解決しようとする課題】
【０００７】
しかしながら、上述した光ファイバの種別の特定方法には、コストがかかるという問題がある。すなわち、ＯＴＤＲは、少なくとも２つの波長光源であるレーザダイオードおよび受信素子であるフォトダイオードを備え、それらは一般的には高価であるため、光ファイバの種別の特定方法にはコストがかかる。特に、光ファイバの種別の特定は、光伝送システムの運用前の起動時に１回しか実行されず、１回しか実行されない処理に費用をかけるのは合理的ではないため、コストをかけないで光ファイバの種別を特定することが望まれている。
【０００８】
また、複数の光ファイバの単位長さ当たりの分散量が近似しているときは、ＯＴＤＲを用いて光ファイバの種別を特定しようとしても、正確に光ファイバの種別を特定することができない。
【０００９】
また、上述した特許文献１では、光伝送システムの受信装置が、分散量を算出しているが、光ファイバの長さを算出していないため、当該分散量から光ファイバの単位長さ当たりの分散量（Ｄ）を算出することができないこととなり、光ファイバの種別を特定することができない。したがって、このような光伝送システムが、前述したＯＴＤＲを用いて光ファイバの種別を特定しても、コストがかかる。
【００１０】
本発明は、上記に鑑みてなされたものであって、波長分割多重（ＷＤＭ）された光信号を伝送する光ファイバの種別を低コストに且つ正確に特定する伝送路種別特定装置および伝送路種別特定方法を提供することを目的とする。
【課題を解決するための手段】
【００１１】
上述した問題を解決し、目的を達成するために、伝送路種別特定装置は、通信時に発生する波長成分を含む光から異なる複数の波長成分を抽出する抽出手段と、前記抽出手段によって抽出された複数の波長成分の光に重畳された同一のパルス信号を同時に送信する送信手段と、前記送信手段によって送信された各パルス信号が伝送路を介して相手先に到着したときの遅延時間差を取得する取得手段と、前記取得手段によって取得された遅延時間差および前記伝送路の種別によって異なる基準時間に対応する伝送路の特性値を算出する算出手段と、前記算出手段によって算出された特性値に基づいて前記伝送路の種別を特定する特定手段と、を備えた構成を採る。
【００１２】
かかる構成によれば、伝送路種別特定装置は、通信時に発生する波長成分を含む光から異なる複数の波長を抽出し、抽出された波長の光に重畳されたパルス信号を伝送路に送信することによって当該伝送路の種別を特定するため、通常運用時に光伝送に使用される光アンプを起動時の伝送路の種別の特定にも共用することができ、伝送路の種別を特定するコストを抑制することができる。すなわち、光アンプ内で光を増幅するための波長光源であるレーザダイオードは高価であるため、光伝送を行うために備えられる光アンプを共用することによって、レーザダイオードを削減することができ、コストを抑制することができる。また、伝送路種別特定装置は、抽出された複数の波長の光に重畳されたパルス信号の伝送路における遅延時間差および伝送路の種別によって異なる基準時間に対応する伝送路の特性値を算出し、算出された特性値に基づき伝送路の種別を特定するため、特性値が伝送路の種別ごとに同一とならないように複数の波長を選択すれば、特性値は伝送路固有に表されることとなり、伝送路の種別を正確に特定することができる。
【発明の効果】
【００１３】
本明細書に開示された伝送路種別特定装置および伝送路種別特定方法は、波長分割多重（ＷＤＭ）された光信号を伝送する光ファイバの種別を低コストに且つ正確に特定することができるという効果を奏する。
【発明を実施するための最良の形態】
【００１４】
以下に、本発明にかかる伝送路種別特定装置および伝送路種別特定方法の実施例を図面に基づいて詳細に説明する。なお、本実施例によりこの発明が限定されるものではない。
【実施例１】
【００１５】
図１は、光伝送システムの全体構成の一例を示す図である。同図に示すように、光伝送システムは、端局、光信号を中継させる光中継局および光信号を多重に分岐させる多重分岐装置であるＯＡＤＭ（Optical Add Drop Multiplexor）／ＯＸＣ（Optical Cross Connect）を含むＯＡＤＭ／ＯＸＣ局を備え、光ファイバ伝送路によって接続されている。本実施例にかかる伝送路種別特定装置は、各局に少なくとも１台備えられ、自装置と送信先の伝送路種別特定装置とを接続する光ファイバ伝送路の種別を特定する。この伝送路種別特定装置の説明は、後に詳述する。
【００１６】
次に、伝送路種別特定装置間の光伝送システムの構成を、図２を用いて説明する。同図に示すように、光伝送システムは、ノード１とノード１に対向する対向ノード２とを往路および復路となる光ファイバ伝送路３によって接続している。ノード１は、伝送路種別特定装置１０を備え、伝送路種別特定装置１０は、対向ノード２に光信号を送信する送信部１００−１と、対向ノード２から送信される光信号を受信する受信部１２０−１と、ＯＳＣ（Optical Supervisory Channel）１３０−１と、光カプラ１０２、１２２と、分散補償部１４０−１と、を備える。送信部１００−１は、ＥＤＦＡ１０１と、光スイッチ１０３と、光フィルタ１０４と、装置制御回路１１０と、を備える。受信部１２０−１は、ＥＤＦＡ（Erbium Doped Fiber Amplifier）１２３を備える。そして、伝送路種別特定装置１０は、受信部１２０−１で受信された光信号を対向ノード２とは別の対向ノードに送信する送信部１００−２と、対向ノードから送信された光信号を受信する受信部１２０−２と、を備える。なお、以降の説明は、ノード１が備える各処理部を中心に説明をするが、対向ノード２もノード１が備える処理部と同様の処理部を備えるため、その説明を省略する。また、ノード１の送信部１００−２および受信部１２０−２は、それぞれ送信部１００−１および受信部１２０−１と同様であるため、その説明を省略する。
【００１７】
ＥＤＦＡ１０１は、エルビウム添加光ファイバ増幅器であり、励起レーザでエルビウムイオンを励起させることにより利得帯域幅のＡＳＥ光を発生させる。このとき、ＥＤＦＡ１０１は、ＡＳＥ光を増幅して強度変調させ、波長ごとに光信号を生成する。
【００１８】
光カプラ１０２は、光スイッチ１０３から出力された光信号を光ファイバ伝送路３に出力する。また、光カプラ１０２は、ＯＳＣ１３０−１から出力される光信号を光ファイバ伝送路３に出力する。
【００１９】
光スイッチ１０３は、光信号を変換することなく光信号の経路を切り替えるスイッチである。光スイッチ１０３は、光伝送システムが運用される前の起動時に、ＥＤＦＡ１０１によって発生したＡＳＥ光を、光フィルタ１０４に出力するように経路を切り替え、光フィルタ１０４から出力された光信号を対向ノード２に出力する。一方、光スイッチ１０３は、光伝送システムが運用されるときに、ＥＤＦＡ１０１によって発生したＡＳＥ光を、光フィルタ１０４を通過させないで対向ノード２に出力するように経路を切り替える。なお、光スイッチ１０３は、２×２光スイッチであるが、１×２光スイッチに置き換えても良いし、分岐器に置き換えても良い。
【００２０】
光フィルタ１０４は、光スイッチ１０３を通過したＡＳＥ光から２つの異なる波長成分の光を抽出して、抽出した波長成分の光信号を、光スイッチ１０３に出力する。なお、光フィルタ１０４は、ＡＳＥ光から２つの異なる波長成分を抽出しているが、３つ以上の異なる波長成分を抽出するようにしても良い。
【００２１】
装置制御回路１１０は、光フィルタ１０４から出力された２つの波長成分の光信号が光ファイバ伝送路３を介して対向ノード２に到着したときの遅延時間差をＯＳＣ１３０−１から取得する。また、装置制御回路１１０は、ＯＳＣ１３０−１によって測定される光ファイバ伝送路３を伝送する測定用光信号がノード１と対向ノード２との往復に要する時間を、ＯＳＣ１３０−１から取得する。そして、装置制御回路１１０は、遅延時間差を往復に要する時間で除算して、光ファイバ伝送路３における光ファイバの特性値を算出する。そして、装置制御回路１１０は、算出された特性値から光ファイバ伝送路３の種別を特定する。なお、測定用光信号に用いる波長は、光フィルタ１０４によって抽出された波長成分とは異なる波長であり、ＩＴＵ−Ｔ（International Telecommunication Union Telecommunication Standardization Sector）等で固定的に定められた推奨波長である。
【００２２】
光カプラ１２２は、光ファイバ伝送路３から取得された光信号をＯＳＣ１３０−１およびＥＤＦＡ１２３に分岐させる。
【００２３】
ＥＤＦＡ１２３は、エルビウム添加光ファイバ増幅器であり、光カプラ１２２から分岐された光信号を励起レーザでエルビウムイオンを励起させることにより増幅させる。
【００２４】
ＯＳＣ１３０−１は、ノード１と対向ノード２との情報交換を光カプラ１０２と光カプラ１２２とを介して行う光監視装置である。具体的には、ＯＳＣ１３０−１は、光フィルタ１０４から出力された２つの波長成分の光信号が光ファイバ伝送路３を介して対向ノード２に到着したときの遅延時間差を、光カプラ１２２を介して取得して、装置制御回路１１０に出力する。また、ＯＳＣ１３０−１は、２つの波長成分とは異なる波長の測定用光信号を光カプラ１０２に出力してから対向ノード２を経由して戻るまでの往復に要する時間を、光カプラ１２２を介して取得して、装置制御回路１１０に出力する。
【００２５】
分散補償部１４０−１は、光ファイバ伝送路３を伝送する光信号の波長分散を補償する。例えば、分散補償部１４０−１は、装置制御回路１１０によって特定される光ファイバ伝送路３の種別から、一意に定められる分散量の傾きを求め、光ファイバ伝送路３を伝送する光信号の波長に対する補正すべき分散量を補償する。なお、分散補償部１４０−２は、分散補償部１４０−１と同様であるため、説明は省略する。
【００２６】
次に、図３は、本実施例１における伝送路種別特定装置の送信部の詳細な構成を示す機能ブロック図である。同図に示すように、伝送路種別特定装置１０の送信部１００−１は、ＥＤＦＡ１０１と２×２光スイッチ１０３と光フィルタ１０４と装置制御回路１１０とを備える。
【００２７】
ＥＤＦＡ１０１は、エルビウム添加ファイバを示すＥＤＦ１０１ｂ内で前方励起ＬＤ１０１ａと後方励起ＬＤ１０１ｃとを併用してエルビウムイオンを励起させて、ＡＳＥ（Amplified Spontaneous Emission）光を発生させる。ＥＤＦ１０１ｂは、ＥＤＦＡ１０１に使用される光ファイバである。このとき、ＥＤＦＡ１０１は、ＡＳＥ光を増幅して強度変調させる。ここで、前方励起ＬＤ１０１ａは、ポンプ光と外部からの光信号とが同一方向に伝送するレーザダイオードであり、後方励起ＬＤ１０１ｃは、逆方向に伝送するレーザダイオードである。なお、ＥＤＦＡ１０１が外部から入力される光信号をＡＳＥ光とともに増幅すると、ＡＳＥ光の出力レベルが変化することとなり、ＡＳＥ光から抽出される２つの波長成分の遅延時間差の測定に影響を与える。そこで、このような影響を防止するために、送信部１００−１は、外部からの光信号の入力を遮断するのが望ましい。例えば、送信部１００−１は、光信号がＥＤＦＡ１０１に入力する前にＶＯＡ（Variable Optical Attenuator）または光スイッチを備えることによって、外部からの光信号の入力を遮断しても良い。
【００２８】
２×２光スイッチ１０３は、２×２構成のクロスバースイッチであり、バー動作またはクロス動作に切り替えられることによって光信号の進む方向を変えることができる。すなわち、２×２光スイッチ１０３は、光伝送システムが運用される前の起動時に、クロス動作に切り替えられ、ＥＤＦＡ１０１によって発生したＡＳＥ光を光フィルタ１０４に出力する。また、２×２光スイッチ１０３は、光伝送システムが運用されるときに、バー動作に切り替えられ、ＥＤＦＡ１０１によって発生したＡＳＥ光を対向ノード２の受信部２２０−１に出力する。これにより、伝送路種別特定装置１０は、光伝送システムの運用時に使用されるＥＤＦＡ１０１を光伝送システムの起動時の光ファイバ伝送路３の種別の特定にも共用することができるため、ＥＤＦＡ１０１を削減することができ、コストを削減することができる。
【００２９】
光フィルタ１０４は、光スイッチ１０３を通過したＡＳＥ光から２つの異なる波長成分の光を抽出して、抽出した波長成分の光信号を、光ファイバ伝送路３を介して対向ノード２の受信部２２０−１に出力する。
【００３０】
装置制御回路１１０は、ＡＳＥ変調制御部１１１とＯＳＣ遅延時間測定部１１２と特性値算出部１１３とファイバ種別判定部１１４とファイバ種別テーブル１１５とファイバ長算出部１１６とを備える。ＡＳＥ変調制御部１１１は、ＥＤＦＡ１０１に対して前方励起ＬＤ１０１ａおよび後方励起ＬＤ１０１ｃのレーザ光の強度を変調させる。また、ＡＳＥ変調制御部１１１は、光ファイバ伝送路３を伝送する２つの波長成分に重畳された光信号の遅延時間差を対向ノード２が測定するように、遅延時間差の測定要求をＯＳＣ１３０−１に対して出力する。そして、ＡＳＥ変調制御部１１１は、対向ノード２によって測定された遅延時間差をＯＳＣ１３０−１から取得する。
【００３１】
ＯＳＣ遅延時間測定部１１２は、ＯＳＣ１３０−１から出力された測定用光信号が光ファイバ伝送路３を介して対向ノード２を折り返してＯＳＣ１３０−１に戻るまでの遅延時間を測定する。
【００３２】
特性値算出部１１３は、ＡＳＥ変調制御部１１１によって取得された遅延時間差をＯＳＣ遅延時間測定部１１２によって測定された遅延時間で除算して、光ファイバ伝送路３における光ファイバの特性値を算出する。ここで、光ファイバ伝送路３における光ファイバの特性値は、光フィルタ１０４によって抽出された２つの波長成分および測定用光信号の波長が送信部１００−１と対向ノード受信部２２０−１とを接続する光ファイバ伝送路３の同じ距離区間を伝送し、測定用光信号の伝送による遅延時間が光ファイバの種別ごとに異なる基準時間となるため、光ファイバ伝送路３の種別に固有の値となる。すなわち、各波長の速度は、光ファイバの種別ごとに異なるため、光ファイバの特性値は、光ファイバ伝送路３の種別に固有の値となる。
【００３３】
ファイバ種別判定部１１４は、特性値算出部１１３によって算出された特性値をキーにしてファイバ種別テーブル１１５から光ファイバ伝送路３のファイバ種別を特定する。このとき、ファイバ種別判定部１１４は、特定されたファイバ種別に対応する出力パワー限界値をファイバ種別テーブル１１５から特定する。そして、ファイバ種別判定部１１４は、出力パワー限界値から適正な出力パワー目標値を算出して、その算出結果を出力する。
【００３４】
ファイバ種別テーブル１１５は、光ファイバ伝送路のファイバ種別と、光ファイバ伝送路における光ファイバの特性値と、を対にした情報をあらかじめ保持する。ここで、ファイバ種別テーブル１１５に保持されるデータ構造について図４を参照しながら説明する。同図に示すように、ファイバ種別テーブル１１５は、光ファイバ伝送路の種別ごとに、光ファイバの特性値と、ＯＳＣ１３０−１から出力される測定用光信号の光ファイバ伝送路における伝播速度と、光ファイバ伝送路に出力する光信号の出力パワー限界値と、を保持する。
【００３５】
ファイバ長算出部１１６は、ファイバ種別判定部１１４によって特定されたファイバ種別から光ファイバ伝送路３の長さを算出する。具体的には、ファイバ長算出部１１６は、ファイバ種別をキーにしてファイバ種別テーブル１１５からＯＳＣ伝播速度を特定し、特定されたＯＳＣ伝播速度にＯＳＣ遅延時間測定部１１２によって測定された遅延時間を乗じて２で除算した値を算出する。なお、２で除算するのは、ＯＳＣ遅延時間測定部１１２によって測定された遅延時間が光ファイバ伝送路３の往復の伝播時間であるためである。これにより、ファイバ長算出部１１６は、光ファイバ伝送路３の長さを容易に算出することができる。そして、ファイバ長算出部１１６は、算出された光ファイバ伝送路３の長さを例えばモニターに表示する。
【００３６】
次に、実施例１における伝送路種別特定装置の受信部の構成を示す機能ブロック図を図５および図６を用いて説明する。図５は、本実施例１における伝送路種別特定装置の受信部の構成を示す機能ブロック図である。同図に示すように、伝送路種別特定装置２０の受信部２２０−１は、ＰＤ（photo diode）２５０ａ、２５０ｂとＥＤＦＡ２２３と利得制御部２５１とパルス長測定部２５２と分散量計算部２５３とを備える。なお、ノード１の送信部１００−１から出力した光信号を対向ノード２の受信部２２０−１が受信する場合について説明する。
【００３７】
ＰＤ２５０ａは、光信号の光強度に対応する電流を発生させる。すなわち、ノード１の送信部１００−１から出力された２つの異なる波長成分の光信号は、１つのＰＤ２５０ａによって、アナログ信号に変換される。そして、ＰＤ２５０ａは、２つの異なる波長成分の光信号の遅延時間差を測定するためにパルス長測定部２５２に出力するとともに、ＥＤＦＡ２２３の増幅利得を制御するために利得制御部２５１に出力する。なお、ＰＤ２５０ａは、光伝送システムの運用時に受信部２２０−１で行われているＥＤＦＡ２２３の利得を制御するために使用するＰＤを共用している。
【００３８】
利得制御部２５１は、ノード１から出力された光信号とその光信号がＥＤＦＡ２２３によって増幅された光信号とから増幅利得を制御する。
【００３９】
パルス長測定部２５２は、ＰＤ２５０ａによって変換されたアナログ信号の波形からパルス長を測定する。なお、パルス長測定部２５２は、測定したパルス長をＯＳＣ２３０−１に出力して、ノード１の送信部１００−１が分散量を計算するものとしても良い。
【００４０】
分散量計算部２５３は、パルス長測定部２５２によって測定されたパルス長からノード１の送信部１００−１から出力された２つの異なる波長成分の光信号の遅延時間差を算出する。具体的には、分散量計算部２５３は、ノード１のＯＳＣ１３０−１からあらかじめＡＳＥ光の変調条件（光が点いた状態のパルス幅）を取得し、パルス長測定部２５２によって測定されたパルス長からパルス幅を減算して、遅延時間差（Ｔ）を算出する。そして、分散量計算部２５３は、算出された遅延時間差をＯＳＣ２３０−１に出力する。また、分散量計算部２５３は、算出された遅延時間差を用いて、２つの波長λ１、λ２の平均波長λｃに対する分散量Ｚ（λｃ）（ｐｓ/ｎｍ）を、下記の式によって算出する。
【００４１】
λｃ＝（λ２＋λ１）／２
Ｚ（λｃ）＝Ｔ／（λ２−λ１）（λ２＞λ１）・・・・・式（１）
そして、分散量計算部２５３は、算出した分散量をＯＳＣ２３０−１および後述する可変分散補償部に出力する。
【００４２】
ＥＤＦＡ２２３は、ＬＤ２２３ａとＥＤＦ２２３ｂとを備える。なお、ＬＤ２２３ａおよびＥＤＦ２２３ｂは、前述した前方励起ＬＤ１０１ａおよびＥＤＦ１０１ｂとそれぞれ同様であるため、説明を省略する。なお、ノード１の送信部１００−１から出力された光信号は、光ファイバ伝送路３内で非線形効果によって波形が歪んでいる場合を考慮して、受信部２２０−１の入り口でＥＤＦＡを備えるものとしても良い。
【００４３】
次に、図６は、１つのＰＤと接続されたパルス長測定部２５２における検出回路の構成を示す機能ブロック図である。同図に示すように、パルス長測定部２５２は、コンパレータ２５２ａとパルス幅カウンタ２５２ｂとを備え、ＰＤ２５０ａと接続されている。
【００４４】
コンパレータ２５２ａは、ノード１の送信部１００−１から出力された２つの異なる波長成分の光信号をＰＤ２５０ａによって変換されたアナログ信号の電圧と基準電圧とを比較する。
【００４５】
パルス幅カウンタ２５２ｂは、コンパレータ２５２ａによってアナログ信号の電圧が基準電圧より大きいとき、計数用クロックを用いて、クロック数をカウントして、カウントされた値（パルス長：Ｔｍ）を出力する。
【００４６】
次に、図７は、１つのＰＤと接続されたパルス長測定部２５２における検出回路によって測定された遅延時間差の波形を示す図である。同図に示すように、共用ＰＤ２５０ａによって変換されたアナログ波形の立ち上がりの時点から立ち下がりの時点までのパルス長は、パルス幅カウンタ２５２ｂによって測定されたＴｍである。そして、分散量計算部２５３は、ノード１のＯＳＣ１３０−１からあらかじめパルス幅Ｔｐを取得し、ＴｍからＴｐを減算した値が遅延時間差（Ｔ）となる。
【００４７】
これにより、受信部２２０−１は、光伝送システムの運用時に使用されるＰＤ２５０ａを光伝送システムの起動時の光信号の遅延時間差を測定するためにも共用することができるため、ＰＤを削減することができ、コストを削減することができる。
【００４８】
次に、実施例１における伝送路種別特定装置の受信部の構成の変形例を示す機能ブロック図を図８および図９を用いて説明する。図８は、本実施例１における伝送路種別特定装置の受信部の構成の変形例を示す機能ブロック図である。同図に示すように、伝送路種別特定装置２０の受信部２２０−１の構成の変形例は、図５における伝送路種別特定装置２０の受信部２２０−１の構成と比較して、ＰＤ（２６１ａ、２６１ｂ）を２つ備えるため、光フィルタ２６０とパルス遅延差測定部２６２と分散量計算部２６３とが異なる。図８の光フィルタ２６０と２つのＰＤ２６１ａ、２６１ｂとパルス遅延差測定部２６２と分散量計算部２６３以外の機能は、図５と同様であるため、その説明を省略する。
【００４９】
光フィルタ２６０は、ノード１の送信部１００−１から出力された２つの異なる波長成分の光信号を波長ごとに分離する。
【００５０】
ＰＤ２６１ａ、２６１ｂは、光フィルタ２６０によって波長ごとに分離された光信号の光強度に対応する電流を発生させ、アナログ信号に変換される。
【００５１】
パルス遅延差測定部２６２は、ＰＤ２６１ａおよびＰＤ２６１ｂによって変換されたアナログ信号の波形から、遅延時間差を測定する。
【００５２】
分散量計算部２６３は、測定された遅延時間差を用いて、２つの波長の平均波長に対する分散量を算出する。具体的には、分散量計算部２６３は、遅延時間差を２つの異なる波長の差で除算して、２つの波長の平均波長に対する分散量を算出する。
【００５３】
次に、図９は、２つのＰＤと接続されたパルス遅延差測定部２６２における検出回路の構成を示す機能ブロック図である。同図に示すように、パルス遅延差測定部２６２は、２台のコンパレータ２６２ａ、２６２ｂとパルス幅カウンタ回路２６２ｃとを備え、光フィルタ２６０と接続されたＰＤ２６１ａ、２６１ｂとそれぞれ接続されている。なお、ＰＤ２６１ａおよびＰＤ２６１ｂは、ＥＤＦＡ２２３の利得を制御するために使用するＰＤ２５０ａと共用せず、光信号の遅延時間差を測定するために専用に利用される。
【００５４】
光フィルタ２６０は、ノード１の送信部１００−１から出力された２つの異なる波長成分の光信号を、波長ごとに波長フィルタ２６０ａおよび波長フィルタ２６０ｂによって分離して出力する。そして、例えば、ＰＤ２６１ａは、波長フィルタ２６０ａによって出力された波長成分λ１の信号をアナログ信号に変換して出力する。また、ＰＤ２６１ｂは、波長フィルタ２６０ｂによって出力された波長成分λ２の信号をアナログ信号に変換して出力する。
【００５５】
コンパレータ２６２ａは、ＰＤ２６１ａによって出力された波長成分（λ１）のアナログ信号の電圧と基準電圧とを比較して基準電圧より大きくなった時点をパルス幅カウンタ回路２６２ｃに通知する。また、コンパレータ２６２ｂは、ＰＤ２６１ｂによって出力された波長成分（λ２）のアナログ信号の電圧と基準電圧とを比較して基準電圧より大きくなった時点をパルス幅カウンタ回路２６２ｃに通知する。
【００５６】
パルス幅カウンタ回路２６２ｃは、計数用クロックを用いて、各コンパレータ２６２ａ、２６２ｂのうち先に通知された時点から後に通知された時点までのパルス幅をカウントして、カウントされた値（遅延時間差：Ｔ）を出力する。
【００５７】
図１０は、２つの専用ＰＤを用いて測定された遅延時間差の波形を示す図である。パルス幅カウンタ回路２６２ｃは、専用ＰＤ２６１ａによって変換された波長成分λ１のアナログ波形の立ち上がりの時点と、専用ＰＤ２６１ｂによって変換された波長成分λ２のアナログ波形の立ち上がりの時点と、の差分をクロックによってカウントして、遅延時間差Ｔを測定する。
【００５８】
これにより、受信部２２０−１は、２つの異なる波形成分の光信号を分離するため、それぞれの波形の立ち上がりの時間差が遅延時間差となり、２つの異なる波形成分の光信号の遅延時間差を容易に測定することができる。
【００５９】
次に、本実施例１における光伝送システムの処理概要について図１１を参照して説明する。
【００６０】
まず、上流ノード（送信部）では、送信部１００−１が、伝送路種別特定の開始コマンドをモニターから受け付けた場合などに、ＥＤＦＡ１０１に外部からの光信号を遮断する。例えばＶＯＡが備えられているときはＶＯＡに対して、光信号の遮断指示を出力する。この遮断指示を受け付けたＶＯＡは、外部からの光信号をシャットダウンする（Ｓ１１０）。
【００６１】
また、開始コマンドを受け付けた送信部１００−１は、２×２光スイッチ１０３に対して、クロス動作への切替指示を出力する。この切替指示を受け付けた２×２光スイッチ１０３は、光信号が光フィルタ１０４に入力されるために、クロス動作に選択される（Ｓ１２０）。
【００６２】
さらに、開始コマンドを受け付けた送信部１００−１は、ＥＤＦＡ１０１に対して、ＥＤＦＡの起動指示を出力する。この起動指示を受け付けたＥＤＦＡ１０１は、前方励起ＬＤ１０１ａおよび後方励起ＬＤ１０１ｂのポンプを起動する（Ｓ１３０）。
【００６３】
次に、送信部１００−１は、ＡＳＥ変調制御部１１１に対して、ＡＳＥ光を変調する制御指示を出力する。この制御指示を受け付けたＡＳＥ変調制御部１１１は、まず、ＯＳＣ１３０−１に対して、ＡＳＥ光の変調条件を通知する。すると、ＯＳＣ１３０−１は、通知されたＡＳＥ光の変調条件を、下流ノード２に対して出力する（Ｓ１４０）。ここで、ＡＳＥ光の変調条件は、例えばＡＳＥ光の光が点いた状態のパルス幅（Ｔｐ）およびパルスの立ち下がりから立ち上がりまでの周期（Ｔｈ）を含んでいる。次に、ＡＳＥ変調制御部１１１は、ＥＤＦＡ１０１に対して強度変調を指示する。
【００６４】
そして、この強度変調を指示されたＥＤＦＡ１０１は、前方励起ＬＤ１０１ａおよび後方励起ＬＤ１０１ｃのレーザ光の強度を変調することによってＡＳＥ光を変調する（Ｓ１５０）。
【００６５】
すると、ＥＤＦＡ１０１によって変調されたＡＳＥ光は、２×２光スイッチ１０３を通過して、光フィルタ１０４に入力する。そして、光フィルタ１０４は、入力されたＡＳＥ光から２つの異なる波長成分の光信号を抽出する（Ｓ１６０）。そして、光フィルタ１０４は、抽出された２つの異なる波長成分の光信号を下流ノード２に対して出力する（Ｓ１７０）。
【００６６】
続いて、ＡＳＥ変調制御部１１１は、光フィルタ１０４から出力された２つの波長成分の光信号が光ファイバ伝送路３を介して下流ノード２に到着したときの遅延時間差（Ｔ）の測定要求をＯＳＣ１３０−１に対して出力する。すると、ＯＳＣ１３０−１は、遅延時間差（Ｔ）の測定要求を下流ノード２に対して出力する（Ｓ１８０）。
【００６７】
一方、下流ノード（受信部）の受信部２２０−１では、パルス長測定部２５２が、ＯＳＣ１３０−１によって出力された遅延時間差Ｔの測定要求を取得する。そして、パルス長測定部２５２は、光ファイバ伝送路３を伝送する２つの波長成分の光信号の波形のパルス長（Ｔｍ）を測定する。そして、分散量計算部２５３は、パルス長測定部２５２によって測定されたパルス長（Ｔｍ）からＡＳＥ光の光が点いた状態のパルス幅（Ｔｐ）を減算して遅延時間差（Ｔ）を測定する（Ｓ１９０）。
【００６８】
そして、分散量計算部２５３は、測定された遅延時間差（Ｔ）をＯＳＣ２３０−１に対して出力して、ＯＳＣ２３０−１は、遅延時間差（Ｔ）を上流ノード１に対して出力する（Ｓ２００）。
【００６９】
上流ノード（送信部）に戻って、ＡＳＥ変調制御部１１１は、ＯＳＣ２３０−１から出力された遅延時間差（Ｔ）を取得したＯＳＣ１３０−１から、遅延時間差（Ｔ）を取得する。
【００７０】
続いて、ＯＳＣ遅延時間測定部１１２は、ＯＳＣ１３０−１に対して測定用光信号を用いた光ファイバ伝送路３の遅延時間（Ｔｏｓｃ）の測定要求を出力する。そして、ＯＳＣ遅延時間測定部１１２は、ＯＳＣ１３０−１からの応答通知を取得し、測定要求の出力からその応答通知の取得までの遅延時間を測定する（Ｓ２１０）。
【００７１】
そして、特性値算出部１１３は、ＡＳＥ変調制御部１１１によって取得された遅延時間差（Ｔ）をＯＳＣ遅延時間測定部１１２によって測定された遅延時間（Ｔｏｓｃ）で除算して、光ファイバ伝送路３における光ファイバの特性値（Ｖ）を算出する（Ｓ２２０）。
【００７２】
そして、ファイバ種別判定部１１４は、特性値算出部１１３によって算出された特性値に基づいて、ファイバ種別を特定する（Ｓ２３０）。具体的には、ファイバ種別判定部１１４は、特性値をキーにしてファイバ種別テーブル１１５からファイバ種別を取得する。このとき、ファイバ種別判定部１１４は、取得されたファイバ種別に対応するＯＳＣ伝播速度および出力パワー限界値をファイバ種別テーブル１１５から取得する。そして、ファイバ種別判定部１１４は、出力パワー限界値を、例えばモニターに出力する。
【００７３】
また、ファイバ種別判定部１１４は、特定されたファイバ種別をＯＳＣ１３０−１に対して出力する。すると、ＯＳＣ１３０−１は、ファイバ種別判定部１１４によって出力されたファイバ種別を下流ノード２に対して出力する（Ｓ２４０）。そして、ファイバ種別判定部１１４は、送信部１００−１に対して、光ファイバ伝送路３のファイバ種別の特定完了通知を出力する。
【００７４】
一方、ファイバ種別の特定完了通知を受け付けた送信部１００−１は、ファイバ長算出部１１６に対して、ファイバ長の算出指示を出力する。この算出指示を受け付けたファイバ長算出部１１６は、ＯＳＣ遅延時間測定部１１２によって測定された光ファイバ伝送路３の遅延時間（Ｔｏｓｃ）に、ファイバ種別判定部１１４によって取得されたＯＳＣ伝播速度を乗算する。そして、光ファイバ伝送路３の遅延時間（Ｔｏｓｃ）が光ファイバ伝送路３の往路および復路の伝播時間であるため、ファイバ長算出部１１６は、乗算された値を２で割って、ファイバ長Ｌを算出する（Ｓ２５０）。そして、ファイバ長算出部１１６は、算出されたファイバ長Ｌを、例えばモニターに出力する。
【００７５】
また、ファイバ種別の特定完了通知を受け付けた送信部１００−１は、ファイバ種別判定部１１４によって取得された出力パワー限界値に基づいて、出力パワーを補正する（Ｓ２６０）。
【００７６】
さらに、送信部１００−１は、２×２光スイッチ１０３に対して、伝送路種別特定装置１０が光伝送システムとして運用されるようにバー動作への切替指示を出力する。この切替指示を受け付けた２×２光スイッチ１０３は、バー動作に選択される（Ｓ２７０）。
【００７７】
そして、送信部１００−１は、ＥＤＦＡ１０１に外部からの光信号を遮断する例えばＶＯＡが備えられているときはＶＯＡに対して、光信号の遮断解除指示を出力する。この遮断解除指示を受け付けたＶＯＡは、外部からの光信号のシャットダウンを解除する（Ｓ２８０）。
【００７８】
一方、下流ノード（受信部）では、分散量計算部２５３は、測定された遅延時間差（Ｔ）から分散量を算出する（Ｓ２９０）。
【００７９】
また、可変分散補償部２７０は、分散量計算部２６３によって算出された分散量およびＯＳＣ１３０−１から出力されたファイバ種別から可変分散量設定値を算出する（Ｓ３００）。そして、可変分散補償部２７０は、算出された可変分散量設定値を分散補償部に設定する（Ｓ３１０）。なお、可変分散補償部２７０の動作については、後に詳述する。
【００８０】
次に、光ファイバ伝送路の種別の特定方法を、図１２、図１３および図１４を用いて詳細に説明する。まず、伝送路種別特定装置１０における送信部１００−１の光フィルタ１０４から波長を抽出する動作原理を、図１２を参照して説明する。同図に示すように、複数の波長から複数の波長に含まれる異なる２つの波長（λ１、λ２）が抽出されている。具体的には、ＥＤＦＡ１０１によって発生したＡＳＥ光は、利得帯域幅の複数の異なる波長成分の光を持っている。そして、ＡＳＥ光が光フィルタ１０４に入ると、光フィルタ１０４は、ＡＳＥ光の複数の波長成分のうち、ＡＳＥ光に含まれる異なる波長成分λ１およびλ２の波長の光を抽出することとなる。
【００８１】
図１３は、抽出された複数の波長の光信号が測定対象伝送路に出力される直前の波形と、複数の波長の光信号が測定対象伝送路を伝送した後の波形とを示す。
【００８２】
具体的には、送信部１００−１の光フィルタ１０４は、ＡＳＥ光から抽出された異なる２つの波長λ１およびλ２の光信号を測定対象伝送路である光ファイバ伝送路３に出力する。そして、対向ノード２の受信部２２０−１は、光ファイバ伝送路３を伝送した波長λ１およびλ２の光信号を受信する。波長λ１およびλ２の光信号は、波長が異なり光ファイバ伝送路３を伝送する速度が異なるため、受信部２２０−１に到着する時間が異なることとなり、遅延時間が発生する。このため、受信部２２０−１に到着したときの光信号の伝播後波形は、図１３の右下段のように歪みを生じる。この伝播後波形とパルス幅Ｔｐとから、受信部２２０−１は、遅延時間Ｔを測定することができる。
【００８３】
この遅延時間ＴとＯＳＣ遅延時間測定部１１２によって測定された測定用光信号の遅延時間とからファイバ種別を特定する原理を、図１４を参照して説明する。同図に示すように、図１４は、波長に対する伝播速度を光ファイバ伝送路の種別ごとに示したグラフである。
【００８４】
光ファイバ伝送路における光ファイバの特性値（Ｖ）は、前述したとおり、光フィルタ１０４によって抽出された波長の遅延時間（Ｔ）をＯＳＣ遅延時間測定部１１２によって測定された測定用光信号の遅延時間（Ｔｏｓｃ）で除算した値である。そして、光フィルタ１０４によって抽出された波長をλ１、λ２および測定用光信号の波長をλｏｓｃとしたときの各伝播速度をＶ１、Ｖ２およびＶｏｓｃとすると、特性値（Ｖ）は、下記の式により表される。
【００８５】
Ｖ＝Ｔ／Ｔｏｓｃ＝（Ｖｏｓｃ／Ｖ１−Ｖｏｓｃ／Ｖ２）／２・・・・・式（２）
式（２）により、特性値Ｖは、各波長λｏｓｃ、λ１およびλ２に対する伝播速度Ｖｏｓｃ、Ｖ１およびＶ２によって算出することができる。すなわち、図１４のグラフを用いて、各波長λｏｓｃ、λ１およびλ２から、ファイバ種別ごとに固有の伝播速度Ｖｏｓｃ、Ｖ１およびＶ２が求められる。そして、ファイバ種別ごとに求められた固有の伝播速度Ｖｏｓｃ、Ｖ１およびＶ２を式（２）に代入することによって、特性値Ｖが算出される。特性値Ｖは、ファイバ種別ごとに異なる伝播速度Ｖｏｓｃ、Ｖ１およびＶ２によって算出されるため、ファイバ種別に対応する固有の値となる。仮に複数のファイバ種別の特性値Ｖが一致するときは、特性値Ｖがフィイバ種別ごとに一意になるようにλ１およびλ２を選択すれば、特性値Ｖによって光ファイバ伝送路の種別は特定される。
【００８６】
したがって、特性値Ｖが光フィルタ１０４によって抽出された波長の遅延時間（Ｔ）とＯＳＣ遅延時間測定部１１２によって測定された測定用光信号の遅延時間（Ｔｏｓｃ）とによって算出されると、光ファイバ伝送路の単位長さ当たりの分散量を算出しなくても、光ファイバ伝送路の種別は容易に特定されることができる。また、仮に複数の光ファイバ伝送路の単位長さ当たりの分散量が同一であっても、光ファイバ伝送路の種別は、特性値Ｖによって確実に区別されることができる。さらに、光ファイバ伝送路の種別が特定されると、光ファイバ伝送路に出力される光出力パワーの限界値が特定されるため、特定される光出力パワーの限界値から光出力パワーが制御され、非線形効果による伝送波形の歪みが抑制されることができる。
【００８７】
このようにして、ファイバ種別が特定されると、特定された光ファイバ伝送路に出力する光出力パワーを補正することができる。そこで、次に、光ファイバ伝送路に出力する光出力パワーの補正方法を、図１５および図１６を参照して説明する。なお、図１５および図１６では、複数のノード間はそれぞれ光ファイバ伝送路によって接続されており、ここではノード間をスパンというものとする。
【００８８】
図１５では、各ノードが光ファイバ伝送路に出力する光出力パワーの目標値Ｐは、光ファイバ伝送路を伝送する波長の伝播スパン数Ｓによって、下記の式により算出される。なお、Ｐｘは、種別が特定された光ファイバ伝送路の光出力パワーの限界値を表す。また、ｋは、任意の定数を表す。
【００８９】
Ｐ＝Ｐｘ−ｋ×１０ＬｏｇＳ・・・・・式（３）
【００９０】
具体的には、スパン２では、波長λ１、λ２およびλ３の光信号が伝送する。そして、波長λ１の伝播スパン数は、スパン１、スパン２およびスパン３を伝送するため３であり、同様に、波長λ２、波長λ３の伝播スパン数はそれぞれ１、３である。したがって、スパン２の光ファイバ伝送路に出力する光出力パワーの目標値Ｐは、伝播スパン数Ｓに３を代入した値となる。
【００９１】
このようにして、波長が伝送するスパン数が大きくなれば光ファイバ伝送路に出力する光出力パワーの目標値は減少するため、波長が伝送する距離が長くなれば非線形効果が増大することを抑制させることができ、各ノードの伝送路種別特定装置１０は、適正な光出力パワーを出力することができる。
【００９２】
図１６では、各ノードが光ファイバ伝送路に出力する光出力パワーの目標値Ｐは、式（３）を用いて、ネットワークの最大スパン数によって算出される。具体的には、同図に示すように、ノード１からノード１７まで接続されたネットワークでは、波長の伝播スパン数は最大１６となる。したがって、すべてのノードが光ファイバ伝送路に出力する光出力パワーの目標値Ｐは、伝播スパン数Ｓに１６を代入した値となる。
【００９３】
このようにして、各ノードの伝送路種別特定装置１０は、ネットワークの最大スパン数によって光出力パワーを補正することができるため、最大スパン数内で自由に波長構成が変更になっても、光出力パワーを変更することなく、適正な光出力パワーを出力することができる。特に、図１６は、使用する波長の増減を頻繁に行うネットワークで有効である。
【００９４】
また、ファイバ種別が特定されると、特定された光ファイバ伝送路を伝送する波長の分散量を調整することができる。そこで、次に、ファイバ種別が特定された光ファイバ伝送路を伝送する波長の分散量を制御する構成を、図１７および図１８を参照して説明する。なお、図１７および図１８に示す可変分散補償部２７０、２８０は、光送信システム（図２）の受信部２２０−１に付け加えられても良い。
【００９５】
図１７は、分散補償部２４０−１を制御する構成を示す図である。同図に示すように、分散補償部２４０−１は、ＥＤＦＡ２２３とＥＤＦＡ２２４の間に配置され、可変分散補償部２７０と接続されている。また、可変分散補償部２７０は、ファイバ種別分散量測定部２７１と設定値計算部２７２と遅延量測定部２７４とを備える。
【００９６】
ファイバ種別分散量測定部２７１は、ファイバ伝送路を伝送する波長の光信号であってＥＤＦＡ２２３によって増幅された光信号を取得して、伝送する波長（λｓ）の分散量を測定する。また、ファイバ種別分散量測定部２７１は、特定されたファイバ種別をＯＳＣ２３０−１から取得し、設定値計算部２７２に出力する。
【００９７】
設定値計算部２７２は、ファイバ種別分散量測定部２７１から取得されたファイバ種別からファイバ種別に対応する傾き（図２７参照）を計算して、分散補償部２４０−１に出力する。
【００９８】
分散補償部２４０−１は、設定値計算部２７２から取得された傾きを分散の傾斜に設定する。そして、分散補償部２４０−１は、設定した分散の傾斜に基づいて、ファイバ伝送路を伝送する波長（λｓ）の分散量を補償する。
【００９９】
遅延量測定部２７４は、波長の分散量を補償した後、ＥＤＦＡ２２４によって増幅された光信号を取得して、遅延量を測定する。そして、遅延量測定部２７４は、遅延量が０でないときは、さらに設定値計算部２７２に遅延量を出力する。このようにして、可変分散補償部２７０は、遅延量が０になるように分散量を補償することができる。
【０１００】
また、図１８は、分散補償部２４０−１を制御する他の構成を示す図である。同図に示すように、分散補償部２４０−１は、ＥＤＦＡ２２３とＥＤＦＡ２２４の間に配置され、可変分散補償部２８０と接続されている。また、可変分散補償部２８０は、ファイバ種別分散量測定部２８１と設定値計算部２８２とを備える。
【０１０１】
ファイバ種別分散量測定部２８１は、ファイバ伝送路を伝送する２つの異なる波長成分（λ１、λ２）の光信号であってＥＤＦＡ２２３によって増幅された光信号を取得して、２つの異なる波長成分（λ１、λ２）の平均波長（λｃ）に対する分散量Ｚ（λｃ）を測定する。なお、ファイバ種別分散量測定部２８１は、分散量計算部２５３と共用するものであっても良い。このとき、ファイバ種別分散量測定部２８１は、特定されたファイバ種別をＯＳＣ２３０−１によって取得し、測定された分散量Ｚ（λｃ）とともに設定値計算部２８２に出力する。
【０１０２】
設定値計算部２８２は、ファイバ種別分散量測定部２８１から出力されたファイバ種別に対応する傾き（図２７参照）を計算する。また、設定値計算部２８２は、計算された傾きと出力された分散量Ｚ（λｃ）とに基づいて、下記の式により、分散量を算出する。
Ｚ＝ａ×Ｚ（λｃ）・・・・・式（４）
そして、設定値計算部２８２は、算出された分散量と傾きを分散補償部２４０−１に出力する。
【０１０３】
分散補償部２４０−１は、設定値計算部２８２から傾きと可変分散量Ｚとを取得し、傾きを分散の傾斜に設定し、可変分散量Ｚを分散量の補償値として設定して、分散量を補償する。
【０１０４】
ところで、光中継局、端局を構成要素として備える光伝送システムのネットワークは、立ち上げ当初の初期構成からネットワークの拡張がされることを考慮して、インサービスアップグレードされるように設計されている。そこで、図１９、図２０および図２１では、光伝送システムをインサービスアップグレードされるように設計された構成を説明する。
【０１０５】
図１９は、実施例１における光伝送システムのＯＸＣ／ＯＡＤＭ部を備える構成を示す図である。同図に示すように、図１９は、実施例１における光伝送システムの構成（図２）にＯＸＣ／ＯＡＤＭ部４００と受信部１２０−１に光スイッチ１２１と受信部２２０−１に光スイッチ２２１とが追加されている。また、光フィルタ１０４、２０４が送信部から削除され、送信部の光ファイバ伝送路３に実装されている。なお、図１９のＯＸＣ／ＯＡＤＭ部４００、光スイッチ１２１、２２１および光フィルタ１０４、２０４以外の機能は、図２と同様であるため、その説明を省略する。
【０１０６】
ＯＸＣ／ＯＡＤＭ部４００は、光交換局または分岐多重装置であり、光伝送システムの立ち上げ当初の初期構成からネットワークの拡張がされることを考慮して、光信号を分岐させる。具体的には、ＯＸＣ／ＯＡＤＭ部４００は、ノード１の送信部１００−１および受信部１２０−１と接続され、対向ノード２の送信部２００−１および受信部２２０−１と接続されている。
【０１０７】
光スイッチ１２１、２２１は、光信号を変換することなく光信号の経路を切り替えるスイッチである。具体的には、光スイッチ１２１は、光信号を対向ノード２から直接受信する場合と、光信号をＯＸＣ／ＯＡＤＭ部４００を介して受信する場合と、によってスイッチを切り替える。また、光スイッチ２２１は、光信号をノード１から受信する場合と、光信号をＯＸＣ／ＯＡＤＭ部４００を介して受信する場合と、によってスイッチを切り替える。なお、受信部２２０−１の光スイッチ２２１は、波長合波器としても良いし、送信部１００−１の光スイッチ１０３は、分岐器としても良い。
【０１０８】
光フィルタ１０４、２０４は、光スイッチ１０３、２０４を通過したＡＳＥ光から２つの異なる波長成分の光を抽出して、抽出した波長成分の光信号を、光ファイバ伝送路３を介して対向ノード２に出力する。そして、光フィルタ１０４、２０４は、光伝送システムの運用前の起動時に、ノード１と対向ノード２とを直接接続される光ファイバ伝送路３に実装される。そして、伝送路種別特定装置３０は、光フィルタ１０４により抽出した波長成分の光信号から、前述したとおり、光ファイバ伝送路３の光ファイバの種別を特定する。なお、光フィルタ１０４、２０４は、光ファイバ伝送路３に実装されるものとしたが、それぞれ送信部１００−１、２００−１に設置されるものとしても良い。
【０１０９】
このようにして、光伝送システムは、ＯＸＣ／ＯＡＤＭ部４００を備える構成を利用することにより、ＯＸＣ／ＯＡＤＭ部４００が本来持っているインサービスアップグレード機能を実現するために必要である光スイッチ（１０４、１２１、２０４、２２１）を共用することができるため、光ファイバ伝送路３の種別を特定するコストを抑制することができる。
【０１１０】
また、光伝送システムのＯＸＣ／ＯＡＤＭ部４００を備える構成を利用して、光伝送システムにおける光中継局の構成を示す図が図２０である。同図に示すように、光フィルタ１０４は、ノード１の送信部１００−１と対向ノード２の受信部２２０−１とを接続する２本の光ファイバ伝送路３のどちらか一方に実装される。このとき、光スイッチ１０３、２２１は、光フィルタ１０４を実装した光ファイバ伝送路３と通信できるようにスイッチを切り替える。
【０１１１】
さらに、光伝送システムのＯＸＣ／ＯＡＤＭ部を備える構成を利用して、光伝送システムにおける端局の構成を示す図が図２１である。同図に示すように、伝送路種別特定装置３０の送信部１００−１は、終端装置および自伝送路種別特定装置３０の受信部１２０−１とそれぞれ光ファイバ伝送路３によって接続されている。そして、光フィルタ１０４は、送信部１００−１から接続される２本の光ファイバ伝送路３のうち伝送路種別特定装置３０の受信部１２０−１に接続される光ファイバ伝送路３に実装される。このとき、光スイッチ１０３、１２１は、光フィルタ１０４を実装した光ファイバ伝送路３と通信できるようにスイッチを切り替える。
【０１１２】
このようにして、光伝送システムは、ＯＸＣ／ＯＡＤＭ部４００を備える構成を利用することにより、ＯＸＣ／ＯＡＤＭ部４００が本来持っているインサービスアップグレード機能を実現するために必要である光スイッチ（１０４、１２１、２０４、２２１）を共用することができるため、光ファイバ伝送路３の種別を特定するコストを抑制することができる。
【０１１３】
以上のように本実施例１によれば、伝送路種別特定装置１０は、ＥＤＦＡ１０１で発生する光から異なる複数の波長成分を抽出し、抽出された複数の波長成分の光に重畳された同一のパルス信号を同時に送信し、送信された各パルス信号が光ファイバ伝送路３を介して対向ノード２に到着したときの遅延時間差を取得し、取得された遅延時間差および光ファイバ伝送路の種別によって異なる基準時間に対応する伝送路の特性値を算出し、算出された特性値に基づいて光ファイバ伝送路３の種別を特定する。
【０１１４】
このようにして、伝送路種別特定装置１０は、ＥＤＦＡ１０１で発生される光から異なる複数の波長を抽出し、抽出された波長の光に重畳されパルス信号を光ファイバ伝送路３に送信することによって当該伝送路の種別を特定することができるため、通常運用時に光伝送に使用されるＥＤＦＡ１０１を起動時の光ファイバ伝送路３の種別の特定にも共用することができ、光ファイバ伝送路３の種別を特定するコストを抑制することができる。すなわち、ＥＤＦＡ１０１内で光を増幅するための波長光源であるレーザダイオード（１０１ａ、１０１ｃ）は高価であるため、光伝送を行うために備えられるＥＤＦＡ１０１を共用することによって、レーザダイオードを削減することができ、コストを抑制することができる。また、伝送路種別特定装置１０は、抽出された複数の波長の光に重畳されたパルス信号の光ファイバ伝送路３における遅延時間差から光ファイバ伝送路３の特性値を算出し、算出された特性値に基づき光ファイバ伝送路３の種別を特定するため、特性値が光ファイバ伝送路３の種別ごとに同一とならないように複数の波長を選択すれば、特性値は伝送路固有に表されることとなり、光ファイバ伝送路３の種別を正確に特定することができる。
【実施例２】
【０１１５】
ところで、上記の実施例１では、ＥＤＦＡ１０１によって発生させたＡＳＥ光がＥＤＦＡ１０１によって強度変調された場合を説明したが、本発明はこれに限定されるものではなく、ＡＳＥ光が、ＥＤＦＡ１０１によって強度変調されるとともに、さらにＥＤＦＡ１０１以外で強度変調されるようにしても良い。
【０１１６】
そこで、以下の実施例２では、ＡＳＥ光がＥＤＦＡ１０１以外で強度変調される場合として、図２２を用いて、実施例２における伝送路種別特定装置１０の送信部の構成について説明する。図２２は、実施例２における伝送路種別特定装置１０の送信部の構成を示す図である。同図に示すように、実施例２における伝送路種別特定装置１０は、実施例１における伝送路種別特定装置１０（図３）に強度変調部５００が追加されている。図２２の強度変調部５００以外の機能は、図３と同様であるため、その説明を簡潔にする。
【０１１７】
まず、ＥＤＦＡ１０１は、ＡＳＥ光を発生させ、ＡＳＥ光を増幅して強度変調させ、波長ごとに光信号を生成する。そして、２×２光スイッチ１０３は、ＥＤＦＡ１０１によって発生したＡＳＥ光を、光フィルタ５１０に出力するように経路を切り替える。
【０１１８】
強度変調部５００は、２×２光スイッチ１０３を通過したＡＳＥ光に対して、変調速度を高速にしてＡＳＥ光の強度を上げ、パルス信号をＡＳＥ光に重畳する。なお、強度変調部５００は、例えばＶＯＡ（Variable Optical Attenuator）であっても良いし、ＬＮ強度変調器であっても良い。
【０１１９】
光フィルタ５１０は、強度変調部５００によって強度変調されたＡＳＥ光から２つの異なる波長成分の光を抽出して、抽出した波長成分の光信号を、光ファイバ伝送路３を介して対向ノード２の受信部２２０−１に出力する。
【０１２０】
装置制御回路１１０は、光フィルタ１０４から出力された２つの波長成分の光信号が光ファイバ伝送路３を介して対向ノード２に到着したときの遅延時間差をＯＳＣ１３０−１から取得する。また、装置制御回路１１０は、ＯＳＣ１３０−１によって測定される光ファイバ伝送路３を伝送する測定用光信号がノード１と対向ノード２との往復に要する時間を、ＯＳＣ１３０−１から取得する。そして、装置制御回路１１０は、遅延時間差を往復に要する時間で除算して、光ファイバ伝送路３における光ファイバの特性値を算出する。そして、装置制御回路１１０は、算出された特性値から光ファイバ伝送路３の種別を特定する。
【０１２１】
このようにして、伝送路種別特定装置１０は、強度変調部５００によって変調速度が高速になるため、ＡＳＥ光に重畳されたパルス信号の緩和時間の応答が高速になり、パルス信号の形状がなだらかな形状から矩形になることとなり、遅延時間の測定を正確に行うことができる。特に、伝送路種別特定装置１０は、ＥＤＦＡ１０１によってＡＳＥ光を強度変調させているが、ＥＤＦＡ１０１ではエルビウムイオンに照射するポンプ光の波長０．９８μｍまたは１．４８μｍによってエルビウムイオンの励起の緩和時間の応答が異なるため、緩和時間の応答が遅い波長を使用したときに確実に強度変調させることができる。
【０１２２】
以上のように本実施例２によれば、伝送路種別特定装置１０は、ＥＤＦＡ１０１で発生する光に重畳されるパルス信号の形状が矩形となるように変調し、変調された光から異なる複数の波長成分を抽出し、抽出された複数の波長成分の光に重畳された同一のパルス信号を同時に送信し、送信された各パルス信号が光ファイバ伝送路３を介して対向ノード２に到着したときの遅延時間差を取得し、取得された遅延時間差および光ファイバ伝送路の種別によって異なる基準時間に対応する伝送路の特性値を算出し、算出された特性値に基づいて光ファイバ伝送路３の種別を特定する。
【０１２３】
このようにして、伝送路種別特定装置１０は、ＥＤＦＡ１０１で発生する光に重畳されるパルス信号の形状が矩形となるように変調することによって、抽出された複数の波長成分の光の遅延時間の測定を正確に行うことができる。
【実施例３】
【０１２４】
ところで、本発明では、ＡＳＥ光が、ＥＤＦＡ１０１によって強度変調されるとともに、さらにＥＤＦＡ１０１以外で強度変調され且つ光パワーの出力調整ができるようにしても良い。
【０１２５】
そこで、以下の実施例２では、ＡＳＥ光がＥＤＦＡ１０１以外で強度変調且つ光パワーの出力調整される場合として、図２３を用いて、実施例３における伝送路種別特定装置１０の送信部の構成について説明する。図２３は、実施例３における伝送路種別特定装置１０の送信部の構成を示す図である。同図に示すように、実施例３における伝送路種別特定装置１０は、実施例１における伝送路種別特定装置１０（図３）に強度変調部兼出力調整部６００が追加されている。図２３の強度変調部兼出力調整部６００以外の機能は、図３と同様であるため、その説明を省略する。
【０１２６】
強度変調部兼出力調整部６００は、ＥＤＦＡ１０１に備えられ、前方励起ＬＤ１０１ａと後方励起ＬＤ１０１ｃとを併用してエルビウムイオンを励起させて発生させたＡＳＥ光に対してさらに変調速度を高速にしてＡＳＥ光の強度を上げ、パルス信号をＡＳＥ光に重畳する。また、強度変調部兼出力調整部６００は、装置制御回路１１０によって特定される光ファイバ伝送路３の種別から特定される光出力パワー限界値に基づいて、適正な出力パワーを調整する。なお、強度変調部兼出力調整部６００は、後方励起ＬＤ１０１ｃによってエルビウムイオンを励起させてＡＳＥ光を発生させた後に、強度変調および出力調整を行っているが、図２４で示すように前方励起１０１ａと後方励起１０１ｃとの間で行っても良い。
【０１２７】
以上のように本実施例３によれば、伝送路種別特定装置１０は、ＥＤＦＡ１０１で発生する光に重畳されるパルス信号の形状が矩形となるように変調し、変調された光から異なる複数の波長成分を抽出し、抽出された複数の波長成分の光に重畳された同一のパルス信号を同時に送信し、送信された各パルス信号が光ファイバ伝送路３を介して対向ノード２に到着したときの遅延時間差を取得し、取得された遅延時間差および光ファイバ伝送路３の種別によって異なる基準時間に対応する伝送路の特性値を算出し、算出された特性値に基づいて光ファイバ伝送路３の種別を特定する。
【０１２８】
このようにして、伝送路種別特定装置１０は、ＥＤＦＡ１０１で発生する光に重畳されるパルス信号の形状が矩形となるように変調することによって、抽出された複数の波長成分の光の遅延時間の測定を正確に行うことができる。
【実施例４】
【０１２９】
ところで、本発明では、ＡＳＥ光が、ＥＤＦＡ１０１によって強度変調されるとともに、さらにＥＤＦＡ１０１以外で波長ごとに強度変調できるようにしても良い。
【０１３０】
そこで、以下の実施例２では、ＡＳＥ光がＥＤＦＡ１０１以外で波長ごとに強度変調できる場合として、図２５を用いて、実施例４における伝送路種別特定装置１０の送信部の構成について説明する。図２５は、実施例４における伝送路種別特定装置１０の送信部の構成を示す図である。同図に示すように、実施例４における伝送路種別特定装置１０は、実施例１における伝送路種別特定装置１０（図３）に強度変調部７１０、７２０および波長合波器７３０が追加され、光フィルタ７００が変更されている。図２５の強度変調部７１０、７２０および波長合波器７３０以外の機能は、図３と同様であるため、その説明を省略する。
【０１３１】
まず、ＥＤＦＡ１０１は、ＡＳＥ光を発生させ、ＡＳＥ光を増幅して強度変調させ、波長ごとに光信号を生成する。２×２光スイッチ１０３は、ＥＤＦＡ１０１によって発生したＡＳＥ光を、光フィルタ７００に出力するように経路を切り替える。
【０１３２】
光フィルタ７００は、光フィルタ７００を通過したＡＳＥ光から２つの異なる波長成分の光を抽出して、抽出した波長成分の光信号を、波長成分ごとに強度変調部７１０、７２０に出力する。
【０１３３】
強度変調部７１０、７２０は、光フィルタ７００から出力された波長成分の光信号に対して、変調速度を高速にして光信号の強度を上げて、波長合波器７３０に出力する。なお、強度変調部７１０、７２０は、例えばＶＯＡ（Variable Optical Attenuator）であっても良いし、ＬＮ強度変調器であっても良い。
【０１３４】
波長合波器７３０は、強度変調部７１０、７２０によってそれぞれ強度変調された波長成分の光信号を合波して、光ファイバ伝送路３を介して対向ノード２の受信部２２０−１に出力する。
【０１３５】
以上のように本実施例４によれば、伝送路種別特定装置１０は、ＥＤＦＡ１０１で発生する光から異なる複数の波長成分を抽出し、抽出された複数の波長成分の光に重畳されるパルス信号の形状が矩形となるようにそれぞれ変調し、変調された複数の波長成分の光に重畳された同一のパルス信号を同時に送信し、送信された各パルス信号が光ファイバ伝送路３を介して対向ノード２に到着したときの遅延時間差を取得し、取得された遅延時間差から光ファイバ伝送路３における光ファイバの特性値を算出し、算出された特性値に基づいて光ファイバ伝送路３の種別を特定する。
【０１３６】
このようにして、伝送路種別特定装置１０は、複数の波長成分の光に重畳されるパルス信号をそれぞれ変調することにより、複数の波長成分の光ファイバ伝送路３における遅延時間差分変調時間をずらして出力することができることとなり、光ファイバ伝送路３における分散量の調整を行うことができる。
【実施例５】
【０１３７】
ところで、上記の実施例１〜４では、ＥＤＦＡ１０１によって発生させたＡＳＥ光から光フィルタによって２つの異なる波長成分の光を抽出される場合を説明したが、本発明はこれに限定されるものではなく、ＡＳＥ光からＥＤＦＡ１０１によって２つの異なる波長成分の光を抽出されるようにしても良い。
【０１３８】
そこで、以下の実施例５では、ＡＳＥ光からＥＤＦＡ１０１によって２つの異なる波長成分の光を抽出される場合として、図２６を用いて、実施例５における伝送路種別特定装置１０の送信部の構成について説明する。図２６は、実施例５における伝送路種別特定装置１０の送信部の構成を示す図である。同図に示すように、実施例５における伝送路種別特定装置１０は、実施例１における伝送路種別特定装置１０（図３）に可変ゲインエコライザ部８００が追加され、光スイッチ１０３および光フィルタ１０４が削除されている。図２６の可変ゲインエコライザ部８００以外の機能は、図３と同様であるため、その説明を省略する。
【０１３９】
可変ゲインエコライザ部８００は、ＥＤＦＡ１０１に備えられ、光伝送システムとして運用される前の起動時には、前方励起ＬＤ１０１ａによってエルビウムイオンを励起させて発生させたＡＳＥ光から２つの異なる波長成分の光を抽出して、強度変調する。また、可変ゲインエコライザ部８００は、光伝送システムの運用時には、前方励起ＬＤ１０１ａによってエルビウムイオンを励起させて発生させたＡＳＥ光のすべての波長を増幅する。
【０１４０】
以上のように本実施例５によれば、伝送路種別特定装置１０は、ＥＤＦＡ１０１で発生する光から異なる複数の波長成分を抽出する可変ゲインエコライザ部８００を備え、可変ゲインエコライザ部８００によって抽出された複数の波長成分の光に重畳された同一のパルス信号を同時に送信し、送信された各パルス信号が光ファイバ伝送路３を介して対向ノード２に到着したときの遅延時間差を取得し、取得された遅延時間差および光ファイバ伝送路３の種別によって異なる基準時間に対応する伝送路の特性値を算出し、算出された特性値に基づいて光ファイバ伝送路３の種別を特定する。
【０１４１】
このようにして、伝送路種別特定装置１０は、可変ゲインエコライザ部８００を備えることによって、図３に示すように２×２光スイッチ１０３および光フィルタ１０４を備えなくても複数の波長成分を抽出することができるため、抽出された波長成分を用いて光ファイバ伝送路３の種別を特定するコストをさらに抑制することができる。
【０１４２】
なお、伝送路種別特定装置１０にて行われる各処理機能は、その全部または任意の一部が、ＣＰＵ（Central Processing Unit）にて解析実行されるプログラムにて実現され、あるいは、ワイヤードロジックによるハードウェアとして実現されても良い。
【０１４３】
以上の実施例にかかる実施形態に関し、さらに以下の付記を開示する。
【０１４４】
（付記１）通信時に発生する波長成分を含む光から異なる複数の波長成分を抽出する抽出手段と、
前記抽出手段によって抽出された複数の波長成分の光に重畳された同一のパルス信号を同時に送信する送信手段と、
前記送信手段によって送信された各パルス信号が伝送路を介して相手先に到着したときの遅延時間差を取得する取得手段と、
前記取得手段によって取得された遅延時間差および前記伝送路の種別によって異なる基準時間に対応する伝送路の特性値を算出する算出手段と、
前記算出手段によって算出された特性値に基づいて前記伝送路の種別を特定する特定手段と、
を備えることを特徴とする伝送路種別特定装置。
【０１４５】
（付記２）前記送信手段は、
前記複数の波長成分と異なる波長を使用した測定用信号を送信する測定用信号送信手段を含み、
前記算出手段は、
前記測定用信号送信手段によって送信された測定用信号が前記相手先を経由して前記伝送路の往復に要する基準時間を測定する基準時間測定手段を含み、
前記取得手段によって取得された遅延時間差を前記基準時間測定手段によって測定された基準時間で除算して前記特性値を算出することを特徴とする付記１に記載の伝送路種別特定装置。
【０１４６】
（付記３）前記抽出手段は、
光伝送時に発生する光から異なる複数の波長成分を抽出するように切り替える切替手段を含むことを特徴とする付記１または付記２に記載の伝送路種別特定装置。
【０１４７】
（付記４）前記切替手段は、
インサービスアップグレード用に設置される光スイッチを備えることを特徴とする付記３に記載の伝送路種別特定装置。
【０１４８】
（付記５）前記抽出手段は、
光伝送時に発生する光から異なる複数の波長成分を抽出する可変光ゲインエコライザを備えることを特徴とする付記１または付記２に記載の伝送路種別特定装置。
【０１４９】
（付記６）前記送信手段は、
前記抽出手段によって抽出された複数の波長成分の光に、形状が矩形となるようにパルス信号を重畳する変調手段を含み、
前記変調手段によって変調されたパルス信号を同時に送信することを特徴とする付記１から付記３のいずれか１つに記載の伝送路種別特定装置。
【０１５０】
（付記７）外部からの光信号を遮断する遮断手段をさらに備えることを特徴とする付記１から付記６のいずれか１つに記載の伝送路種別特定装置。
【０１５１】
（付記８）前記特定手段によって特定された伝送路の種別から光信号の出力パワーを補正する出力補正手段をさらに備えることを特徴とする付記１から付記７のいずれか１つに記載の伝送路種別特定装置。
【０１５２】
（付記９）前記出力補正手段は、
前記特定手段によって特定された伝送路の種別に対応する光信号の出力パワーの制限値と、前記伝送路を伝送する複数の波長の光が伝送するスパンの数の最大数によって、光信号の出力パワーを補正することを特徴とする付記８に記載の伝送路種別特定装置。
【０１５３】
（付記１０）前記出力補正手段は、
前記特定手段によって特定された伝送路の種別に対応する光信号の出力パワーの制限値と、ネットワークの最大伝送スパン数によって、光信号の出力パワーを補正することを特徴とする付記８に記載の伝送路種別特定装置。
【０１５４】
（付記１１）前記特定手段によって特定された伝送路の種別から前記伝送路を伝送する波長の分散量を補償する分散量補償手段をさらに備えることを特徴とする付記１から付記１０のいずれか１つに記載の伝送路種別特定装置。
【０１５５】
（付記１２）前記分散量補償手段は、
前記遅延時間差から、前記伝送路における前記複数の波長成分の平均波長に対する分散量を算出する分散量算出手段と、
前記分散量算出手段によって算出された分散量と、前記特定手段によって特定された伝送路の種別と、から前記伝送路を伝送する波長の分散量を算出する伝送波長分散量算出手段と、を含み、
前記伝送波長分散量算出手段によって算出された分散量によって当該波長の分散量を補償することを特徴とする付記１１に記載の伝送路種別特定装置。
【０１５６】
（付記１３）前記特定手段は、
前記伝送路の種別および前記特性値を対にして記憶する伝送路種別記憶手段を含み、
前記伝送路種別記憶手段と前記算出手段によって算出された特性値とから、前記伝送路の種別を特定することを特徴とする付記１から付記１２のいずれか１つに記載の伝送路種別特定装置。
【０１５７】
（付記１４）前記特定手段によって特定された伝送路の種別に対応する前記測定用信号の伝播速度と前記遅延時間とから、前記伝送路の長さを算出する伝送路長算出手段をさらに備えることを特徴とする付記２に記載の伝送路種別特定装置。
【０１５８】
（付記１５）通信時に発生する波長成分を含む光から異なる複数の波長成分を抽出する抽出工程と、
前記抽出工程によって抽出された複数の波長成分の光に重畳された同一のパルス信号を同時に送信する送信工程と、
前記送信工程によって送信された各パルス信号が伝送路を介して相手先に到着したときの遅延時間差を取得する取得工程と、
前記取得工程によって取得された遅延時間差および前記伝送路の種別によって異なる基準時間に対応する伝送路の特性値を算出する算出工程と、
前記算出工程によって算出された特性値に基づいて前記伝送路の種別を特定する特定工程と、
を備えることを特徴とする伝送路種別特定方法。
【図面の簡単な説明】
【０１５９】
【図１】光伝送システムの全体構成の一例を示す図である。
【図２】光伝送システムの構成を示す図である。
【図３】実施例１における伝送路種別特定装置の送信部の構成を示す機能ブロック図である。
【図４】ファイバ種別テーブルのフォーマットの一例を示す図である。
【図５】実施例１における伝送路種別特定装置の受信部の構成を示す機能ブロック図である。
【図６】パルス長測定部における検出回路の構成を示す機能ブロック図である。
【図７】１つの共用ＰＤを用いて測定された遅延時間差の波形を示す図である。
【図８】実施例１における伝送路種別特定装置の受信部の構成の変形例を示す機能ブロック図である。
【図９】パルス遅延差測定部における検出回路の構成を示す機能ブロック図である。
【図１０】２つの専用ＰＤを用いて測定された遅延時間差の波形を示す図である。
【図１１】光伝送システムの処理概要を示すシーケンス図である。
【図１２】光フィルタから波長を抽出する動作原理を示す図である。
【図１３】抽出された波長を用いた遅延時間を測定する動作を示す図である。
【図１４】ファイバ種別の特定方法の原理を示す図である。
【図１５】出力パワーの補正方法の一例を示す図である。
【図１６】出力パワーの補正方法の他の一例を示す図である。
【図１７】分散補償部を制御する構成を示す図である。
【図１８】分散補償部を制御する他の構成を示す図である。
【図１９】実施例１における光伝送システムのＯＸＣまたはＯＡＤＭ構成を示す図である。
【図２０】実施例１における光伝送システムの光中継局の構成を示す図である。
【図２１】実施例１における光伝送システムの端局構成を示す図である。
【図２２】実施例２における伝送路種別特定装置の送信部の構成を示す機能ブロック図である。
【図２３】実施例３における伝送路種別特定装置の送信部の構成を示す機能ブロック図である。
【図２４】実施例３における伝送路種別特定装置の送信部の他の構成を示す機能ブロック図である。
【図２５】実施例４における伝送路種別特定装置の送信部の構成を示す機能ブロック図である。
【図２６】実施例５における伝送路種別特定装置の送信部の構成を示す機能ブロック図である。
【図２７】従来の光ファイバ種別の特定方法を示す図である。
【図２８】各種光ファイバの分散特性を示す図である。
【符号の説明】
【０１６０】
１００−１  送信部
１０１  ＥＤＦＡ
１０１ａ  前方励起ＬＤ
１０１ｂ  ＥＤＦ
１０１ｃ  後方励起ＬＤ
１０２  光カプラ
１０３  ２×２光スイッチ
１０４  光フィルタ
１１０  装置制御回路
１１１  ＡＳＥ変調制御部
１１２  ＯＳＣ遅延時間測定部
１１３  特性値算出部
１１４  ファイバ種別判定部
１１５  ファイバ種別テーブル
１１６  ファイバ長算出部
１２０−１  受信部
１２２  光カプラ
１３０−１  ＯＳＣ
２００−１  対向ノード送信部
２２０−１  対向ノード受信部
【図１】
0005151691.tif 000002
【図２】
0005151691.tif 000003
【図３】
0005151691.tif 000004
【図４】
0005151691.tif 000005
【図５】
0005151691.tif 000006
【図６】
0005151691.tif 000007
【図７】
0005151691.tif 000008
【図８】
0005151691.tif 000009
【図９】
0005151691.tif 000010
【図１０】
0005151691.tif 000011
【図１１】
0005151691.tif 000012
【図１２】
0005151691.tif 000013
【図１３】
0005151691.tif 000014
【図１４】
0005151691.tif 000015
【図１５】
0005151691.tif 000016
【図１６】
0005151691.tif 000017
【図１７】
0005151691.tif 000018
【図１８】
0005151691.tif 000019
【図１９】
0005151691.tif 000020
【図２０】
0005151691.tif 000021
【図２１】
0005151691.tif 000022
【図２２】
0005151691.tif 000023
【図２３】
0005151691.tif 000024
【図２４】
0005151691.tif 000025
【図２５】
0005151691.tif 000026
【図２６】
0005151691.tif 000027
【図２７】
0005151691.tif 000028
【図２８】
0005151691.tif 000029